(57)【要約】【課題】予約印刷時にユーザから指定された予約枚数分の印刷を確実にすることができる画像形成装置を提供すること。【解決手段】ユーザが本体部２００の操作パネル部５１により希望する印刷時刻、印刷部数及び給紙カセット２０１等を選択した場合、ＣＰＵ８１は前記給紙カセット２０１について、過去に設定された予約枚数及び今回の予約設定の際に入力された印刷枚数をＲＡＭ８３から読み出し、両者を合計することで前記給紙カセット２０１の全予約枚数を求め、前記給紙カセット２０１の全予約枚数が当該給紙カセット２０１に収納される印刷用紙の最大収納枚数より大きい場合は、当該予約設定を受け付けないように制御する。【選択図】  図２
2004262078.tif 000002
【特許請求の範囲】
【請求項１】
ユーザから指定された時刻に印刷を行う予約印刷機能を有する画像形成装置であって、
印刷用紙を収納する複数の給紙カセットと、
ユーザからの操作指示に応じて、予約印刷の印刷枚数を特定するための印刷枚数情報及び前記複数の給紙カセットから予約印刷の際に使用する給紙カセットを特定するためのカセット情報を記録する記録手段と、
前記記録手段に記録されるカセット情報により特定される給紙カセットの印刷枚数情報及び当該給紙カセットに対し既に予約設定がされている場合は、既に予約されている印刷枚数を特定するための印刷枚数情報を前記記録手段から読み出す読み出し手段と、
前記読み出し手段により読み出された印刷枚数情報から特定される印刷枚数を合計する合計手段と、
前記合計手段により得られた前記給紙カセットの全予約枚数と、当該給紙カセットの最大収納枚数の大小を比較する比較手段と、
前記比較手段により前記給紙カセットの全予約枚数が前記給紙カセットの最大収納枚数より小さい若しくは同一と判断された場合は、当該給紙カセットによる予約設定を行うことを特徴とする画像形成装置。
【請求項２】
請求項１に記載された画像形成装置において、
前記比較手段により前記給紙カセットの全予約枚数が前記給紙カセットの最大収納枚数より大きいと判断された場合は、ユーザに他の給紙カセットを選択させるためのメッセージを表示する表示手段をさらに備えたことを特徴とする画像形成装置。
【請求項３】
請求項１に記載された画像形成装置において、
前記比較手段により前記給紙カセットの全予約枚数が当該給紙カセットの最大収納枚数より小さい若しくは同一であると判断された場合は、前記給紙カセットの全予約枚数を表示する表示手段をさらに備えたことを特徴とする画像形成装置。
【請求項４】
請求項１に記載された画像形成装置において、
画像データに対応する画像を印刷用紙上に形成する画像形成手段と、
前記記録手段に記録されるカセット情報により特定される給紙カセットから印刷用紙を前記画像形成手段に搬送させる搬送手段と、
前記給紙カセットによる予約印刷中に、当該給紙カセットに収納される印刷用紙が無くなったことを検知する検知手段と、
前記検知手段により前記給紙カセットの印刷用紙が無くなったことが検知された場合は、当該給紙カセットとは異なる給紙カセットを選択する選択手段と、
前記選択手段により選択された給紙カセットから印刷用紙が前記画像形成手段に搬送されるよう前記搬送手段を制御する搬送制御手段とをさらに備えたことを特徴とする画像形成装置。
【請求項５】
請求項４に記載された画像形成装置において、
前記選択手段は、前記記録手段に記録される給紙カセットに収納される印刷用紙と同一サイズの印刷用紙が収納される給紙カセットがある場合に当該給紙カセットを選択することを特徴とする画像形成装置。
【発明の詳細な説明】
【０００１】
【発明の属する技術分野】
本発明は、ユーザから指定された時刻に印刷を行う予約印刷機能を有した画像形成装置に関する。
【０００２】
【従来の技術】
従来の画像形成装置は、ユーザにより指定された時刻に印刷を行う予約印刷機能を有し、ユーザが大量の印刷を行う場合、本装置の利用が集中する昼間を避けて、他のユーザが利用しない深夜や早朝に予約印刷を行うことにより、効率的な印刷が可能であった（例えば、特許文献１参照）。
【０００３】
【特許文献１】
特開２００１−３５２４５２号公報
【０００４】
【発明が解決しようとする課題】
しかしながら、従来の画像形成装置では、他のユーザが利用しない時間帯に予約印刷の設定をした場合において印刷時に紙不足が生じた場合は、印刷用紙の補充を行うことができず、予約された枚数分の印刷をすることができないという問題点があった。
【０００５】
本発明は、上記問題点を解決するためになされたものであり、予約印刷時にユーザから指定された予約枚数分の印刷を確実に行うことができる画像形成装置を提供することが目的である。
【０００６】
【課題を解決するための手段】
本発明の請求項１に係る画像形成装置は、ユーザから指定された時刻に印刷を行う予約印刷機能を有する画像形成装置であって、印刷用紙を収納する複数の給紙カセットと、ユーザからの操作指示に応じて、予約印刷の印刷枚数を特定するための印刷枚数情報及び前記複数の給紙カセットから予約印刷の際に使用する給紙カセットを特定するためのカセット情報を記録する記録手段と、前記記録手段に記録されるカセット情報により特定される給紙カセットの印刷枚数情報及び当該給紙カセットに対し既に予約設定がされている場合は、既に予約されている印刷枚数を特定するための印刷枚数情報を前記記録手段から読み出す読み出し手段と、前記読み出し手段により読み出された印刷枚数情報から特定される印刷枚数を合計する合計手段と、前記合計手段により得られた前記給紙カセットの全予約枚数と、当該給紙カセットの最大収納枚数の大小を比較する比較手段と、前記比較手段により前記給紙カセットの全予約枚数が前記給紙カセットの最大収納枚数より小さい若しくは同一と判断された場合は、当該給紙カセットによる予約設定を行うことを特徴とするものである。これにより、各給紙カセットの最大収納枚数の範囲内における予約枚数分の予約設定が可能であり、各給紙カセットの最大収納枚数以上の印刷予約がなされないように制御することができる。従って、印刷時の紙不足が生じることなく確実に予約枚数分の印刷を行うことができる。
【０００７】
本発明の請求項２に係る画像形成装置は、請求項１に記載された画像形成装置において、前記比較手段により前記給紙カセットの全予約枚数が前記給紙カセットの最大収納枚数より大きいと判断された場合は、ユーザに他の給紙カセットを選択させるためのメッセージを表示する表示手段をさらに備えた構成である。これにより、同一の給紙カセットに印刷予約が集中した場合においても、ユーザが予約されていない他の給紙カセットを選択することにより、印刷時に紙不足が生じることなく確実に予約枚数分の印刷を行うことができる。
【０００８】
本発明の請求項３に係る画像形成装置は、請求項１に記載された画像形成装置において、前記比較手段により前記給紙カセットの全予約枚数が当該給紙カセットの最大収納枚数より小さい若しくは同一であると判断された場合は、前記給紙カセットの全予約枚数を表示する表示手段をさらに備えた構成である。前記給紙カセットの全予約枚数はユーザが前記給紙カセット内に印刷用紙を補給する際の目安となり、ユーザが前記給紙カセットに全予約枚数分の印刷用紙を補給することで、印刷時に紙不足が生じることなく確実に予約枚数分の印刷を行うことができる。
【０００９】
本発明の請求項４に係る画像形成装置は、請求項１に記載された画像形成装置において、画像データに対応する画像を印刷用紙上に形成する画像形成手段と、前記記録手段に記録されるカセット情報により特定される給紙カセットから印刷用紙を前記画像形成手段に搬送させる搬送手段と、前記給紙カセットによる予約印刷中に、当該給紙カセットに収納される印刷用紙が無くなったことを検知する検知手段と、前記検知手段により前記給紙カセットの印刷用紙が無くなったことが検知された場合は、当該給紙カセットとは異なる給紙カセットを選択する選択手段と、前記選択手段により選択された給紙カセットから印刷用紙が前記画像形成手段に搬送されるよう前記搬送手段を制御する搬送制御手段とをさらに備えた構成である。これにより、印刷時に予約された給紙カセットにおいて紙不足が発生した場合においても予約枚数分の印刷を確実に行うことができる。
【００１０】
本発明の請求項５に係る画像形成装置は、請求項４に記載された画像形成装置において、前記選択手段は、前記記録手段に記録される給紙カセットに収納される印刷用紙と同一サイズの印刷用紙が収納される給紙カセットがある場合に当該給紙カセットを選択するので、印刷時に予約された給紙カセットにおいて紙不足が発生した場合、所望のサイズの印刷用紙による印刷が引き続き可能となり、予約枚数分の印刷を確実に行うことができる。
【００１１】
【発明の実施の形態】
以下、本発明による画像形成装置の一例として本発明の一実施の形態によるデジタル複合機について図面を参照しながら説明する。
【００１２】
図１は、本発明の一実施の形態によるデジタル複合機の機械的構成を主に示す側面概略図である。
【００１３】
デジタル複合機１は、本体部２００と、本体部２００の左側に配設された用紙後処理部３００と、ユーザが種々の操作指令等を入力するための操作部４００と、本体部２００の上部に配設された原稿読み取り部５００と、原稿読み取り部５００の上方に配設された原稿給送部６００とから構成される。
【００１４】
操作部４００は、タッチパネル４０１、スタートキー４０２及びテンキー４０３等を備える。タッチパネル４０１は、種々の操作画面を表示するとともに、ユーザが種々の操作指令を入力するための種々の操作ボタン等を表示する。スタートキー４０２は、ユーザが印刷実行指令等を入力するために用いられ、テンキー４０３は、印刷枚数等を入力するために用いられる。
【００１５】
原稿給送部６００は、原稿収納部６０１、原稿排出部６０２、給紙ローラ６０３及び原稿搬送部６０４等を備え、原稿読み取り部５００は、スキャナ５０１等を備える。給紙ローラ６０３は、原稿収納部６０１にセットされた原稿を繰り出し、原稿搬送部６０４は、繰り出される原稿を１枚ずつ順にスキャナ５０１上に搬送する。スキャナ５０１は搬送される原稿を順次読み取り、読み取られた原稿は原稿排出部６０２に排出される。
【００１６】
本体部２００は、複数の給紙カセット２０１、複数の給紙ローラ２０２、転写ローラ２０３、感光体ドラム２０４、露光装置２０６、現像装置２０７、定着ローラ２０８、排出口２０９、及び排出トレイ２１０等を備える。
【００１７】
感光体ドラム２０４は、矢印方向に回転しながら帯電装置（図示省略）によって一様に帯電される。露光装置２０６は、原稿読み取り部５００において読み取られた原稿の画像データに基づいて生成された変調信号をレーザ光に変換して出力し、感光体ドラム２０４に静電潜像を形成する。現像装置２０７は、黒色の現像剤を感光体ドラム２０４に供給してトナー画像を形成する。
【００１８】
一方、給紙ローラ２０２ａ，ｂ，ｃは、印刷用紙が収納された給紙カセット２０１ａ，ｂ，ｃから印刷用紙を引き出し、転写ローラ２０３まで給送する。転写ローラ２０３は、搬送された印刷用紙に感光体ドラム２０４上のトナー像を転写させ、定着ローラ２０８は、転写されたトナー像を加熱して印刷用紙に定着させる。その後、印刷用紙は、本体部２００の排出口２０９から用紙後処理部３００に搬入される。また、印刷用紙は、必要に応じて排出トレイ２１０へも排出される。
【００１９】
用紙後処理部３００は、搬入口３０１、印刷用紙搬送部３０２、搬出口３０３及びスタックトレイ３０４等を備える。印刷用紙搬送部３０２は、排出口２０９から搬入口３０１に搬入された印刷用紙を順次搬送し、最終的に搬出口３０３からスタックトレイ３０４へ印刷用紙を排出する。スタックトレイ３０４は、搬出口３０３から搬出された印刷用紙の集積枚数に応じて矢印方向に上下動可能に構成されている。
【００２０】
図２は、図１に示すデジタル複合機の電気的構成を主に示すブロック図である。
【００２１】
デジタル複合機１は、スキャナ部１１、画像処理部２１、用紙搬送部Ａ３１〜用紙搬送部Ｃ３３、画像作成部３５、制御部４１、操作パネル部５１、ファクシミリ通信部６１、ネットワークＩ／Ｆ（インターフェース）部７１及びＨＤＤ（ハードディスクドライブ）７４を備える。
【００２２】
操作パネル部５１は、図１に示すタッチパネル４０１等から構成されるタッチパネル部５２、及び図１に示すスタートキー４０２及びテンキー４０３等から構成される操作キー部５３を含む。操作パネル部５１は、ユーザがスキャナ機能、ファクシミリ機能、プリンタ機能、コピー機能等に関する操作を行うために使用され、ユーザによる操作指令等を制御部４１に与える。
【００２３】
スキャナ部１１は、図１に示すスキャナ５０１を構成する露光ランプ１２及びＣＣＤ（電荷結合素子）１３を含む。スキャナ部１１は、露光ランプ１２により原稿を照射し、その反射光をＣＣＤ１３で受光することにより、原稿から画像を読み取り、読み取った画像に対応する画像データを画像処理部２１へ出力する。
【００２４】
画像処理部２１は、補正部２２、画像加工部２３及び画像メモリ２４を含む。画像処理部２１は、読み取られた画像データを必要に応じて補正部２２及び画像加工部２３により処理し、処理された画像データを画像メモリ２４に記憶したり、画像作成部３５、ファクシミリ通信部６１又はネットワークＩ／Ｆ部７１等へ出力する。補正部２２は、読み取られた画像データに対してレベル補正、γ補正等の所定の補正処理を行う。画像加工部２３は、画像データの圧縮又は伸張処理、及び拡大又は縮小処理等の種々の加工処理を行う。
【００２５】
用紙搬送部Ａ３１は、図１に示す給紙カセット２０１ａ，給紙ローラ２０２ａ，及び収納枚数検知センサ３４等から構成され、用紙搬送部Ｂ３２は、給紙カセット２０１ｂ，給紙ローラ２０２ｂ，及び収納枚数検知センサ等から構成され、用紙搬送部Ｃ３３は、給紙カセット２０１ｃ，給紙ローラ２０２ｃ，及び収納枚数検知センサ等から構成され、各給紙ローラ２０２ａ，ｂ，ｃの回転により各給紙カセット２０１ａ，ｂ，ｃから印刷用紙が画像作成部３５に搬送される。各給紙カセット２０１ａ，ｂ，ｃの印刷用紙の最大収納枚数は約５００枚であり、Ａ３、Ｂ４，Ａ４、Ｂ５、Ａ５いずれのサイズの印刷用紙も収納可能である。収納枚数検知センサ３４は、各給紙カセット２０１ａ，ｂ，ｃに収納される印刷用紙の収納枚数を検知し、印刷処理中に給紙カセット２０１ａ，ｂ，ｃ内の印刷用紙不足を検知した場合には、ＣＰＵ８１にその旨を通知する。
【００２６】
画像作成部３５は、図１に示す感光体ドラム２０４、露光装置２０６及び現像装置２０７、転写ローラ２０３、定着ローラ２０８等を含む。画像作成部３５は、スキャナ部１１により読み取られた原稿データ、ネットワークＩ／Ｆ部７１を介してＰＣ（Ｐｅｒｓｏｎａｌ  Ｃｏｍｐｕｔｅｒ）（図示省略）等から送信された印刷データ、ファクシミリ通信部６１を用いてファクシミリ装置（図示省略）等から受信したファクスデータ等の画像データを用いて画像を印刷用紙に印刷する。
【００２７】
ファクシミリ通信部６１は、スキャナ部１１によって読み取られた原稿の画像データを電話回線を介してファクシミリ装置７等へ送信したり、ファクシミリ装置７等から送信された画像データを受信する。ネットワークＩ／Ｆ部７１は、ネットワークインタフェース（１０／１００Ｂａｓｅ−ＴＸ）等を用い、ＬＡＮ（Ｌｏｃａｌ  Ａｒｅａ  Ｎｅｔｗｏｒｋ）を介して接続されたＰＣとの間での種々のデータの送受信を制御する。ＨＤＤ７４は、スキャナ部１１によって読み取られた画像データ及び当該画像データに設定されている出力形式等を記憶する。
【００２８】
制御部４１は、装置各部を制御するＣＰＵ（Ｃｅｎｔｒａｌ  Ｐｒｏｃｅｓｓｉｎｇ  Ｕｎｉｔ）８１と、プログラムデータ等が記録されているＲＯＭ８２（Ｒｅａｄ  Ｏｎｌｙ  Ｍｅｍｏｒｙ）と、ＣＰＵ８１の作業領域として用いられるＲＡＭ（Ｒａｎｄｏｍ  Ａｃｃｅｓｓ  Ｍｅｍｏｒｙ）８３を備える。ＲＯＭ８２には予め各給紙カセット２０１ａ，ｂ，ｃにおける印刷用紙の最大収納枚数が記録されている。
【００２９】
図３は図２に示すタッチパネル部５２に表示される予約コピー設定メニューの一例を説明するための図であり、図４は印刷予約されたジョブ一覧を表示する予約リストの一例を説明するための図である。
【００３０】
予約コピー設定メニュー１００は、操作パネル５１部における予約設定キー（図示せず）の押下により表示される。予約コピー設定メニュー１００上部に設けられたメッセージエリア１０１には、ユーザに対する本装置の操作に関する注意事項等が表示される。
【００３１】
条件選択エリア１０２には予約印刷ジョブ毎に用紙サイズ、コピー濃度、倍率等の選択画面が表示される。用紙サイズ選択エリア１０３における番号１，２，３はそれぞれ給紙カセット２０１ａ，ｂ，ｃに対応しており、各給紙カセット２０１ａ，ｂ，ｃにはどのサイズの印刷用紙が収納されているかが表示される。ユーザが希望する用紙サイズのキーを押下することで、印刷に用いる給紙カセット２０１を選択することができる。また、予約時間設定キー１０４の押下により印刷予約時間の設定画面（図示省略）が表示され、予約時間の設定が可能となる。ユーザが条件選択エリア１０２からコピー濃度、倍率等その他の条件を選択し、テンキー４０３により印刷部数を設定した後、スタートキー４０２を押下することにより印刷予約が登録され、スキャナ部１１による原稿の読み取り動作が開始する。
【００３２】
予約リスト１１０は、予約コピー設定メニュー１００の予約リストキー１０８の押下により表示される。予約リスト１１０には、各印刷ジョブのモード、動作状態、予約枚数、予約時間、予約カセット、及び各給紙カセット２０１の全予約枚数が表示される。
【００３３】
モードは、印刷ジョブ毎にユーザによりコピー予約が選択されている場合は「コピー」と表示され、プリンタの印刷予約が選択されている場合は「プリンタ」と表示される。動作状態は、例えば、印刷ジョブがなされている最中は「出力中」、予約印刷待機中は「予約中」と表示される。予約時間及び予約カセットは、ユーザにより操作パネル部５１を用いて選択された印刷時間及び給紙カセット２０１ａ，ｂ，ｃの識別番号が表示され、予約枚数はスキャナ部１１により読み取られた原稿の枚数と、ユーザにより選択された印刷部数を積算したものが表示される。
【００３４】
次に、図２乃至図５を用いて本発明の画像形成装置によるコピー予約の設定処理を説明する。図５は、図２に示すデジタル複合機１によるコピー予約の設定処理を説明するためのフローチャートである。
【００３５】
まず、ユーザが操作パネル５１から希望する印刷部数，印刷時刻、及び給紙カセット２０１等の予約コピーの条件を選択し、スタートキー４０２を押下することによりコピー予約設定処理を開始する。ＣＰＵ８１は、ユーザにより選択された印刷部数，印刷時刻、及び給紙カセット２０１等をＲＡＭ８３に記録する（ステップＳ１）。スキャナ部１１により原稿から画像データが読み取られ（ステップＳ２）、ＣＰＵ８１は、読み取られた画像データを格納するための画像メモリ２４の残量があるか否かを判断し（ステップＳ３）、画像メモリ２４の残量がない場合は、予約印刷ができない旨を予約コピー設定メニュー１００に表示し（ステップＳ４）、画像メモリ２４の残量がある場合は、ステップＳ５に進む。
【００３６】
ＣＰＵ８１は、スキャナ部１１により読み取られた原稿の枚数及びユーザにより選択された印刷部数を積算し、予約枚数を算出し（ステップＳ５）、さらに、今回予約された給紙カセット２０１について、既に予約設定がなされている場合は過去に設定された予約枚数及び今回入力された予約枚数をＲＡＭ８３から読み出し、両者を加算することで全予約枚数を求める（ステップＳ６）。当該給紙カセット２０１の全予約枚数が当該給紙カセット２０１の最大収納枚数より大きいか否かを判断し（ステップＳ７）、給紙カセット２０１の全予約枚数が当該給紙カセット２０１の最大収納枚数より大きいと判断した場合は、当該給紙カセット２０１は使用不可能であると判断し、予約コピー設定メニュー１００に、例えば「他の給紙カセットを選択して下さい」というメッセージを表示する（ステップＳ８）。そして、ユーザが他の給紙カセット２０１を選択することで、ＣＰＵ８１は、ＲＡＭ８３に既に記録されているカセット情報を新たなカセット情報に書き換え（ステップＳ９）、新たに選択された給紙カセット２０１の全予約枚数を求め（ステップＳ６）、給紙カセット２０１の全予約枚数と当該給紙カセット２０１の最大収納枚数の比較を行う（ステップＳ７）。
【００３７】
次いで、ステップＳ７において、給紙カセット２０１の全予約枚数が当該給紙カセット２０１の最大収納枚数より小さい若しくは同一であると判断した場合には、前記給紙カセット２０１の全予約枚数を含む予約リスト１１０をタッチパネル部５２に表示する（ステップＳ１０）。
【００３８】
このように、タッチパネル部５２における予約コピー設定メニュー１００に他の給紙カセット２０１を選択させるためのメッセージが表示された場合、ユーザが予約されていない他の給紙カセット２０１を選択し、給紙カセット２０１に希望のサイズの印刷用紙を予約枚数分セットすることで、予約コピー時に用紙切れを起こさずにコピーを行うことができる。タッチパネル部５２に給紙カセット２０１の全予約枚数を含む予約リスト１１０が表示された場合、ユーザは予約印刷前に給紙カセット２０１に予約枚数分の印刷用紙が収納されているかを確認し、印刷用紙の補給を行うことができる。これにより、予約印刷時の用紙切れを防止することができる。
【００３９】
図６は、図２のデジタル複合機１による予約コピー処理時に用紙不足が発生した場合の処理を説明するためのフローチャートである。
【００４０】
ＣＰＵ８１は、印刷処理中は収納枚数検知センサ３４をモニターし、給紙カセット２０１内の印刷用紙が無くなったか否かを判断する（ステップＳ２１）。給紙カセット２０１内の印刷用紙が無くなった場合、給紙カセット２０１に収納されている印刷用紙と、同一サイズの印刷用紙が収納されている給紙カセット２０１が他に存在するか否かを判断し（ステップＳ２２）、存在しないと判断した場合は印刷処理を中断し、存在すると判断した場合はその給紙カセット２０１から印刷用紙が画像作成部３５に搬送されるよう給紙ローラ３４を駆動し（ステップＳ２３）、ステップＳ２４において印刷ジョブが終了するまで、ステップＳ２１〜ステップＳ２３の処理を繰り返す。
【００４１】
このように、印刷時に予約された給紙カセット２０１において紙不足が発生した場合は、同一のサイズの印刷用紙が収納される他の給紙カセット２０１から印刷用紙を給紙するので、予約された枚数分の印刷を確実に行うことができる。
【００４２】
本実施の形態による画像形成装置によれば、ユーザから印刷予約がなされた際、予約された給紙カセット２０１の全予約枚数を求め、当該給紙カセット２０１の全予約枚数が当該給紙カセット２０１の最大収納枚数より小さい若しくは同一である場合は、予約設定を行うので、各給紙カセット２０１の最大収納枚数の範囲内で予約印刷を行うことができる。また、この際、タッチパネル部５２に予約リスト１１０を表示し、予約された給紙カセット２０１の全予約枚数を表示するので、給紙カセット２０１内の印刷用紙が不足していないかユーザに注意を促すことができる。
【００４３】
一方、予約された給紙カセット２０１の全予約枚数が当該給紙カセット２０１の最大収納枚数より大きい場合は、タッチパネル部５２に他の給紙カセット２０１を選択させるためのメッセージを表示するので、同一の給紙カセット２０１に印刷予約が集中した場合においても、ユーザが予約されていない他の給紙カセットを選択することにより、印刷時に紙不足が生じることなく確実に予約枚数分の印刷を行うことができる。
【００４４】
更に、印刷時に予約された給紙カセット２０１において紙不足が発生した場合は、他の給紙カセット２０１から印刷用紙を給紙するので、予約された枚数分の印刷を確実に行うことができる。
【００４５】
なお、本実施の形態では、コピー予約について説明したが、本発明の画像形成装置においては、プリント予約も可能であり、ＰＣ等の外部装置からプリンタの予約命令が入力された場合は、印刷予約状況に関する情報をネットワークを介してＰＣに送信し、ＰＣ側のディスプレイに表示させてもよい。
【００４６】
【発明の効果】
本発明の画像形成装置によれば、ユーザから指定された時刻に印刷を行う予約印刷機能を有する画像形成装置であって、印刷用紙を収納する複数の給紙カセットと、ユーザからの操作指示に応じて、予約印刷の印刷枚数を特定するための印刷枚数情報及び前記複数の給紙カセットから予約印刷の際に使用する給紙カセットを特定するためのカセット情報を記録する記録手段と、前記記録手段に記録されるカセット情報により特定される給紙カセットの印刷枚数情報及び当該給紙カセットに対し既に予約設定がされている場合は、既に予約されている印刷枚数を特定するための印刷枚数情報を前記記録手段から読み出す読み出し手段と、前記読み出し手段により読み出された印刷枚数情報から特定される印刷枚数を合計する合計手段と、前記合計手段により得られた前記給紙カセットの全予約枚数と、当該給紙カセットの最大収納枚数の大小を比較する比較手段と、前記比較手段により前記給紙カセットの全予約枚数が前記給紙カセットの最大収納枚数より小さい若しくは同一と判断された場合は、当該給紙カセットによる予約設定を行うことを特徴とするものである。これにより、各給紙カセットの最大収納枚数の範囲内における予約枚数分の予約設定が可能であり、各給紙カセットの最大収納枚数以上の印刷予約がなされないように制御することができる。従って、印刷時の紙不足が生じることなく確実に予約枚数分の印刷を行うことができる。
【図面の簡単な説明】
【図１】本発明の一実施の形態によるデジタル複合機の機械的構成を主に示す側面概略図である。
【図２】図１に示すデジタル複合機の電気的構成を主に示すブロック図である。
【図３】予約コピー設定メニューの一例を説明するための図である。
【図４】印刷予約されたジョブ一覧を表示する予約リストの一例を説明するための図である。
【図５】図２のデジタル複合機によるコピーの予約設定処理を説明するためのフローチャートである。
【図６】図２のデジタル複合機１による予約コピー処理時に用紙不足が発生した場合の処理を説明するためのフローチャートである。
【符号の説明】
１画像形成装置
１１  スキャナ部
２１  画像処理部
３１，３２，３３  用紙搬送部
３４  収納枚数検知センサ
３５  画像作成部
４１  制御部
５１  操作パネル部
２０１  給紙カセット
２０２  給紙ローラ
【図１】
2004262078.tif 000003
【図２】
2004262078.tif 000004
【図３】
2004262078.tif 000005
【図４】
2004262078.tif 000006
【図５】
2004262078.tif 000007
【図６】
2004262078.tif 000008